【手続補正書】
【提出日】平成16年7月21日(2004.7.21)
【手続補正１】
【補正対象書類名】明細書
【補正対象項目名】特許請求の範囲
【補正方法】変更
【補正の内容】
【特許請求の範囲】
【請求項１】
遊技者が所定の遊技を行い、遊技領域に設けられている入賞領域に遊技球が入賞したことに応じて遊技者に賞球を払い出す遊技機であって、
遊技機に設けられた電気部品を制御するための電気部品制御マイクロコンピュータと、
前記電気部品制御マイクロコンピュータが制御を行う際に発生する変動データを記憶する変動データ記憶手段と、
遊技機への電力供給が停止していても電力供給停止直前の前記変動データ記憶手段の記憶内容を保持させることが可能な記憶内容保持手段と、
前記電気部品制御マイクロコンピュータが信号を出力するための出力ポートと、
遊技球が前記入賞領域に入賞したことを検出し、遊技者に賞球を払い出すために前記電気部品制御マイクロコンピュータに検出信号を出力する遊技球検出手段と、
交流電源からの交流電圧を直流電圧に変換する整流手段と、
前記整流手段によって交流電圧から変換された直流電圧から、該直流電圧よりも低い電圧であって前記遊技球検出手段に供給される直流電圧と、前記遊技球検出手段に供給される直流電圧よりも低く前記電気部品制御マイクロコンピュータの駆動電源電圧である直流電圧とを生成する直流電圧生成手段と、
前記整流手段によって交流電圧から変換された直流電圧を監視し、該直流電圧が前記遊技球検出手段に供給される直流電圧よりも高い電圧である第１の検出電圧に低下したことを検出したときに第１の検出信号を出力する第１の電源監視手段とを備え、
前記電気部品制御マイクロコンピュータは、前記第１の検出信号の入力に応じて、制御状態を前記変動データ記憶手段に保存するための処理である電力供給停止時処理を行い、該電力供給停止時処理において、前記出力ポートに出力された信号をクリアする出力ポートクリア処理を行うとともに、前記記憶内容保持手段により保持された記憶内容が正常か否かの判定に用いられるチェックデータを作成し、
前記第１の電源監視手段が監視する直流電圧と同一の直流電圧を監視し、該直流電圧が、前記第１の検出電圧よりも低く、前記電気部品制御マイクロコンピュータの駆動電源電圧よりも高く設定された第２の検出電圧になったときに第２の検出信号を出力する第２の電源監視手段を備え、
前記第２の電源監視手段は、前記第１の電源監視手段が前記第１の検出信号を出力した後に前記第２の電源監視手段が前記第２の検出信号を出力するまでに前記電気部品制御マイクロコンピュータが前記電力供給停止時処理を完了するように設定された前記第２の検出電圧になったときに前記電気部品制御マイクロコンピュータに前記第２の検出信号を出力し、
前記電気部品制御マイクロコンピュータは、前記第２の検出信号の入力に応じて動作停止状態とされ、
前記電気部品制御マイクロコンピュータは、電力供給開始時に、前記変動データ記憶手段に保存されていた前記チェックデータによって前記変動データ記憶手段に保存されていた記憶内容が正当であるか否かを判定し、前記変動データ記憶手段に保存されている記憶内容が正当でない旨の判定をしたときには、前記変動データ記憶手段の記憶内容を初期化する
ことを特徴とする遊技機。
【請求項２】
電気部品制御マイクロコンピュータは、賞球を払い出す払出手段を制御する払出制御マイクロコンピュータであり、
前記払出制御マイクロコンピュータは、出力ポートクリア処理によって、前記払出手段が賞球を払い出しているときには払い出しを停止させる
請求項１記載の遊技機。
【請求項３】
遊技球が発射される遊技領域に設置され、開状態と閉状態とのいずれかに制御可能な可変入賞球装置を備え、
電気部品制御マイクロコンピュータは、前記可変入賞球装置を制御する遊技制御マイクロコンピュータであり、
前記遊技制御マイクロコンピュータは、出力ポートクリア処理によって、前記可変入賞球装置が前記開状態であるときには前記閉状態に制御する
請求項１または請求項２記載の遊技機。
【請求項４】
電気部品制御マイクロコンピュータは、第１の電源監視手段からの第１の検出信号の入力に応じて、遊技球検出手段からの検出信号の入力処理を所定期間実行する
請求項１から請求項３のうちのいずれかに記載の遊技機。
【請求項５】
遊技球検出手段には、賞球の払い出しを行う払出手段によって払い出された賞球を検出するための払出検出手段が含まれる
請求項４記載の遊技機。
【請求項６】
電気部品制御マイクロコンピュータは、第１の電源監視手段からの第１の検出信号の入力に応じて、遊技球検出手段からの検出信号の入力処理を実行する前に、出力ポートクリア処理を行う
請求項４または請求項５記載の遊技機。
【請求項７】
電気部品制御マイクロコンピュータは、電力供給開始時に、チェックデータにもとづいて、変動データ記憶手段に記憶されている記憶内容が正常である旨の判定をしたことを条件に、前記変動データ記憶手段に記憶されている記憶内容にもとづいて制御状態を復旧させる遊技状態復旧制御を実行する
請求項１から請求項６のうちのいずれかに記載の遊技機。
【請求項８】
操作に応じて操作信号を出力する操作手段を備え、
電気部品制御マイクロコンピュータは、電力供給開始時にのみ前記操作信号の状態を確認し、前記操作信号が入力されていることを確認したときには、変動データ記憶手段の記憶内容を初期化する
請求項１から請求項７のうちのいずれかに記載の遊技機。
【請求項９】
電気部品制御マイクロコンピュータは、電力供給開始時に、操作信号が入力されていないことを条件に、チェックデータにもとづいて、変動データ記憶手段の記憶内容の判定を行う
請求項８記載の遊技機。
【請求項１０】
電気部品制御マイクロコンピュータは、電力供給停止時処理において変動データ記憶手段へのアクセスを禁止する処理を実行する
請求項１から請求項９のうちのいずれかに記載の遊技機。
【手続補正２】
【補正対象書類名】明細書
【補正対象項目名】００１１
【補正方法】変更
【補正の内容】
【００１１】
【課題を解決するための手段】
本発明による遊技機は、遊技者が所定の遊技を行い、遊技領域に設けられている入賞領域に遊技球が入賞したことに応じて遊技者に賞球を払い出す遊技機であって、遊技機に設けられた電気部品を制御するための電気部品制御マイクロコンピュータと、電気部品制御マイクロコンピュータが制御を行う際に発生する変動データを記憶する変動データ記憶手段と、遊技機への電力供給が停止していても電力供給停止直前の変動データ記憶手段の記憶内容を保持させることが可能な記憶内容保持手段と、電気部品制御マイクロコンピュータが信号を出力するための出力ポートと、遊技球が入賞領域に入賞したことを検出し、遊技者に賞球を払い出すために電気部品制御マイクロコンピュータに検出信号を出力する遊技球検出手段と、交流電源からの交流電圧を直流電圧に変換する整流手段と、整流手段によって交流電圧から変換された直流電圧から、該直流電圧よりも低い電圧であって遊技球検出手段に供給される直流電圧と、遊技球検出手段に供給される直流電圧よりも低く電気部品制御マイクロコンピュータの駆動電源電圧である直流電圧とを生成する直流電圧生成手段と、整流手段によって交流電圧から変換された直流電圧を監視し、該直流電圧が遊技球検出手段に供給される直流電圧よりも高い電圧である第１の検出電圧に低下したことを検出したときに第１の検出信号を出力する第１の電源監視手段とを備え、電気部品制御マイクロコンピュータは、第１の検出信号の入力に応じて、制御状態を変動データ記憶手段に保存するための処理である電力供給停止時処理を行い、電力供給停止時処理において、出力ポートに出力された信号をクリアする出力ポートクリア処理を行うとともに、記憶内容保持手段により保持された記憶内容が正常か否かの判定に用いられるチェックデータ（例えば、チェックサムデータ）を作成し、第１の電源監視手段が監視する直流電圧と同一の直流電圧を監視し、該直流電圧が、第１の検出電圧よりも低く、電気部品制御マイクロコンピュータの駆動電源電圧よりも高く設定された第２の検出電圧になったときに第２の検出信号を出力する第２の電源監視手段を備え、第２の電源監視手段は、第１の電源監視手段が第１の検出信号を出力した後に第２の電源監視手段が第２の検出信号を出力するまでに電気部品制御マイクロコンピュータが電力供給停止時処理を完了するように設定された第２の検出電圧になったときに電気部品制御マイクロコンピュータに第２の検出信号を出力し、電気部品制御マイクロコンピュータは、第２の検出信号の入力に応じて動作停止状態とされ、電気部品制御マイクロコンピュータは、電力供給開始時に、変動データ記憶手段に保存されていたチェックデータによって変動データ記憶手段に保存されていた記憶内容が正当であるか否かを判定し、変動データ記憶手段に保存されている記憶内容が正当でない旨の判定をしたときには、変動データ記憶手段の記憶内容を初期化することを特徴とするものである。
【手続補正３】
【補正対象書類名】明細書
【補正対象項目名】００１２
【補正方法】変更
【補正の内容】
【００１２】
電気部品制御マイクロコンピュータは、賞球を払い出す払出手段を制御する払出制御マイクロコンピュータであり、出力ポートクリア処理によって、払出手段（例えば、球払出装置９７）が賞球を払い出しているときには払い出しを停止させることが好ましい。
【手続補正４】
【補正対象書類名】明細書
【補正対象項目名】００１３
【補正方法】変更
【補正の内容】
【００１３】
電気部品制御マイクロコンピュータは、可変入賞球装置（例えば、可変入賞球装置１５、大入賞口など）を制御する遊技制御マイクロコンピュータであり、出力ポートクリア処理によって、可変入賞球装置が開状態であるときには閉状態に制御することが好ましい。
【手続補正５】
【補正対象書類名】明細書
【補正対象項目名】００１４
【補正方法】変更
【補正の内容】
【００１４】
電気部品制御マイクロコンピュータは、第１の電源監視手段からの第１の検出信号の入力に応じて、遊技球検出手段からの検出信号の入力処理を所定期間実行することが好ましい。
【手続補正６】
【補正対象書類名】明細書
【補正対象項目名】００１５
【補正方法】変更
【補正の内容】
【００１５】
遊技球検出手段には、賞球の払い出しを行う払出手段によって払い出された賞球を検出するための払出検出手段が含まれるのが好ましい。
【手続補正７】
【補正対象書類名】明細書
【補正対象項目名】００１６
【補正方法】変更
【補正の内容】
【００１６】
電気部品制御マイクロコンピュータは、第１の電源監視手段からの第１の検出信号の入力に応じて、遊技球検出手段からの検出信号の入力処理を実行する前に、出力ポートクリア処理を行うようにしてもよい。
【手続補正８】
【補正対象書類名】明細書
【補正対象項目名】００１７
【補正方法】変更
【補正の内容】
【００１７】
電気部品制御マイクロコンピュータは、電力供給開始時に、チェックデータにもとづいて、変動データ記憶手段に記憶されている記憶内容が正常である旨の判定をしたことを条件に（例えば、チェックサム確認の結果が正当である場合）、変動データ記憶手段に記憶されている記憶内容にもとづいて制御状態を復旧させる遊技状態復旧制御を実行することが好ましい。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】変更
【補正の内容】
【００１９】
操作に応じて操作信号を出力する操作手段（例えば、クリアスイッチ９２１）を備え、電気部品制御マイクロコンピュータは、電力供給開始時にのみ操作信号の状態を確認し、操作信号が入力されていることを確認したときには、変動データ記憶手段の記憶内容を初期化することが好ましい。
【手続補正１１】
【補正対象書類名】明細書
【補正対象項目名】００２０
【補正方法】変更
【補正の内容】
【００２０】
電気部品制御マイクロコンピュータは、電力供給開始時に、操作信号が入力されていないことを条件に、チェックデータにもとづいて、変動データ記憶手段の記憶内容の判定を行うようにしてもよい。
【手続補正１２】
【補正対象書類名】明細書
【補正対象項目名】００２１
【補正方法】変更
【補正の内容】
【００２１】
電気部品制御マイクロコンピュータは、電力供給停止時処理において変動データ記憶手段へのアクセスを禁止する処理を実行することが好ましい。
【手続補正１３】
【補正対象書類名】明細書
【補正対象項目名】０３６６
【補正方法】変更
【補正の内容】
【０３６６】
【発明の効果】
以上のように、本発明によれば、遊技機を、電気部品制御マイクロコンピュータが、遊技機への電力供給が停止するときに制御状態を変動データ記憶手段に保存するための処理である電力供給停止時処理を行い、電力供給停止時処理において、出力ポートに出力された信号をクリアする出力ポートクリア処理を行うとともに、記憶内容保持手段により保持された記憶内容が正常か否かの判定に用いられるチェックデータを作成することを特徴とするので、各電気部品の作動状態が保存された遊技状態と矛盾しないようにすることができ、適正な制御状態を保存することが可能となるとともに、適正な制御状態に復旧させることが可能となるため、保存されていたデータを電源復旧後に確実に活用することが可能となるという効果がある。また、データ破壊などが発生した誤データにもとづく復旧制御がなされてしまうことを防止することができる。
【手続補正１４】
【補正対象書類名】明細書
【補正対象項目名】０３６７
【補正方法】変更
【補正の内容】
【０３６７】
電気部品制御マイクロコンピュータが、賞球を払い出す払出手段を制御する払出制御マイクロコンピュータであり、出力ポートクリア処理によって、払出手段の駆動を停止するように構成されていることにより、不要な払い出しがなされてしまうことが効果的に防止される。
【手続補正１５】
【補正対象書類名】明細書
【補正対象項目名】０３６８
【補正方法】変更
【補正の内容】
【０３６８】
電気部品制御マイクロコンピュータが、可変入賞球装置を制御する遊技制御マイクロコンピュータであり、出力ポートクリア処理によって可変入賞球装置の駆動が停止するように構成されていることにより、可変入賞球装置が開放したままになるようなことがない。
【手続補正１６】
【補正対象書類名】明細書
【補正対象項目名】０３６９
【補正方法】変更
【補正の内容】
【０３６９】
電気部品制御マイクロコンピュータが、第１の電源監視手段からの第１の検出信号の入力に応じて、遊技球検出手段からの検出信号の入力処理を所定期間実行することにより、検出すべき遊技球を検出することができ、遊技球数に関する適正な制御状態をバックアップ記憶することができる。
【手続補正１７】
【補正対象書類名】明細書
【補正対象項目名】０３７０
【補正方法】変更
【補正の内容】
【０３７０】
遊技球検出手段には、賞球の払い出しを行う払出手段によって払い出された賞球を検出するための払出検出手段が含まれることにより、適正な賞球の払出数をバックアップ記憶することが可能となる。
【手続補正１８】
【補正対象書類名】明細書
【補正対象項目名】０３７１
【補正方法】変更
【補正の内容】
【０３７１】
電気部品制御マイクロコンピュータが、第１の電源監視手段からの第１の検出信号の入力に応じて、遊技球検出手段からの検出信号の入力処理を実行する前に、出力ポートクリア処理を行うことにより、電気部品の動作を停止したあとに、遊技球検出手段からの入力処理を実行することができるため、適正な制御状態をバックアップ記憶することが可能となる。
【手続補正１９】
【補正対象書類名】明細書
【補正対象項目名】０３７２
【補正方法】変更
【補正の内容】
【０３７２】
電気部品制御イクロコンピュータが、電力供給開始時に、チェックデータにもとづいて、変動データ記憶手段に記憶されている記憶内容が正常である旨の判定をしたときには、遊技状態復旧制御を実行することにより、変動データが適正に保存されていたことを確認したあと、その変動データにもとづいて適正な遊技状態に復旧させるようにすることができる。
【手続補正２０】
【補正対象書類名】明細書
【補正対象項目名】０３７３
【補正方法】削除
【補正の内容】
【手続補正２１】
【補正対象書類名】明細書
【補正対象項目名】０３７４
【補正方法】変更
【補正の内容】
【０３７４】
操作に応じて操作信号を出力する操作手段を備え、電気部品制御マイクロコンピュータが、電力供給開始時にのみ操作信号の状態を確認し、操作信号が入力されていることを確認したときには、変動データ記憶手段の記憶内容を初期化することにより、制御再開の初期段階において、保存された制御状態に復旧させないようにすることが可能となる。従って、遊技店員などの判断により、保存された制御状態に復旧させないようにすることができる。
【手続補正２２】
【補正対象書類名】明細書
【補正対象項目名】０３７５
【補正方法】変更
【補正の内容】
【０３７５】
電気部品制御マイクロコンピュータが、電力供給開始時に、操作信号が入力されていないことを条件に、チェックデータにもとづいて、変動データ記憶手段の記憶内容の判定を行うことにより、制御再開の初期段階において、遊技店員などの判断にもとづく所定の操作がされていない場合に、保存された制御状態に復旧するように制御することが可能となる。
【手続補正２３】
【補正対象書類名】明細書
【補正対象項目名】０３７６
【補正方法】変更
【補正の内容】
【０３７６】
電気部品制御マイクロコンピュータが、電力供給停止時処理において変動データ記憶手段へのアクセスを禁止する処理を実行することにより、電源電圧が低下していくことに伴って生ずる可能性がある異常動作に起因するバックアップ記憶が格納されている領域（例えば、ＲＡＭ）の内容破壊等を確実に防止することができ、その後の電源投入時に復旧されるＲＡＭの保存データを確実に保護することができる。